(57)【要約】本発明のブランケットは、膨らませることができる対流式保温下敷ブランケットである。患者の頭と上体をブランケットに置いてもよい。ブランケットは十字形状をしている。十字形状の下方に垂直に延びる部分は、切り詰められている。十字形状は上方頭部を持ち、そこに患者の頭が置かれる。ブランケットは、水平に延びる２つの腕部を有する。腕部は、ブランケットの主胴部から延びる。腕部に患者の腕を置いてもよい。腕部にフラップがある。患者の腕を覆うためにフラップを使用してもよい。ブランケット頭部の上方角部に入口ポートが設けられる。ブランケットに導入された加熱された空気が複数の封止細片により方向付けられ、これにより加熱された空気はブランケットの腕部と切り詰められた下方胴部の周辺の所望方向に沿って流れる。ブランケットは、患者の上胴部が置かれるＴ字状の非膨張部分を備える。Ｔ字状の非膨張部分を画定する封止された内側縁部に沿って、孔の組が設けられる。Ｔ字状の非膨張部分により画定される膨張可能な構造の内側角部にはより多くの孔があり、これによりブランケットの切り詰められた下方胴部においてより多くの加熱された空気が外に向かって流れ出る。ブランケットの内側と外側の角部はすべて丸みが付けられていて、加熱された空気の流れを良くしている。
2012501721.tif 000002
【特許請求の範囲】
【請求項１】
膨張可能な構造を備え、該膨張可能な構造が頭部と、胴部と、２つの腕部とを有し、前記頭部が前記胴部に接続され、前記２つの腕部のうちの対応する腕部が前記胴部の各側部から延び、前記胴部が非膨張部分を有し、患者の上胴部と腕を支えるために前記非膨張部分が前記腕部の中へと延び、前記頭部が患者の頭を支える非膨張部分を有し、前記胴部の非膨張部分と境を接する前記膨張可能な構造の複数の部分に沿ってそれぞれの孔の組が設けられている、患者の上体支持用下敷ブランケット。
【請求項２】
前記頭部に位置し、温度処理された空気の前記膨張可能な構造への導入を可能にする入口と、前記頭部に位置し互いに相対的な空間関係に設けられ、空気の流れを前記頭部から前記胴部と前記腕部へと導く封止細片とをさらに備える、請求項１に記載のブランケット。
【請求項３】
前記ブランケットの前記非膨張部分の少なくともすべての内側角部に丸みが付けられている、請求項１に記載のブランケット。
【請求項４】
前記ブランケットの前記腕部の各々が前記非膨張部分を囲む管を含むように、前記胴部の前記非膨張部分が前記胴部の最下縁まで延びる、請求項１に記載のブランケット。
【請求項５】
前記胴部と前記腕部とを連結する前記非膨張部分の対応する角部と境を接する膨張可能な部分のそれぞれの部分にさらなる孔が設けられ、
前記膨張可能な部分のそれぞれの部分と、前記角部から延びる前記胴部に沿う前記膨張可能な部分とに沿って設けられる孔の数が、前記腕部に沿う前記非膨張部分と境を接する前記膨張可能な部分に沿って設けられる孔の数より多い、請求項１に記載のブランケット。
【請求項６】
前記ブランケットの前記２つの腕部のうちの１つに２つのフラップが各々さらに設けられ、前記２つのフラップの各々が前記ブランケットに横たわる患者の対応する腕を覆うために移動可能である、請求項１に記載のブランケット。
【請求項７】
前記胴部及び前記腕部の前記非膨張部分に少なくとも１つの液体吸収パッドがさらに設けられ、前記非膨張部分上に集められる液体が吸収される、請求項１に記載のブランケット。
【請求項８】
膨張可能な構造と実質的にＴ字状の非膨張部分とを備え、
前記膨張可能な構造が頭部と、胴部と、２つの腕部とを有し、前記頭部が患者の頭を支えるように構成され、前記胴部が患者の上胴部を支えるように構成され、前記２つの腕部のうちの各腕部が前記胴部の対応する側部から延びて患者の腕を支えるように構成され、
前記Ｔ字状の非膨張部分が、前記頭部と境を接する前記胴部に位置し、前記腕部の各々の部分に沿って延び、前記Ｔ字状の非膨張部分に患者の上胴部と腕を置くことができ、
前記膨張可能な構造のそれぞれの部分に沿って孔の組が設けられ、前記膨張可能な構造が、前記胴部と前記腕部とが合流する前記Ｔ字状の非膨張部分の２つの下方角部を画定し、
前記膨張可能な構造の前記２つの下方角部を画定する部分に設けられる孔の数が、前記膨張可能な構造の他の部分に設けられる孔の数より多い、患者の上体支持用下敷ブランケット。
【請求項９】
前記頭部に位置する実質的に円形な非膨張部分をさらに備え、患者の頭を前記円形な非膨張部分に置くことができ、前記円形な非膨張部分の少なくとも一部を囲んで複数の孔が設けられる、請求項８に記載のブランケット。
【請求項１０】
前記頭部に位置し、温度処理された空気の前記膨張可能な構造への導入を可能にする入口をさらに備え、前記Ｔ字状の非膨張部分の周りを流れることにより導入空気が前記頭部から前記胴部へと進む、請求項８に記載のブランケット。
【請求項１１】
前記頭部に位置し、導入空気の流れを前記ブランケットの前記胴部と前記腕部とへ向ける複数の封止細片をさらに備える、請求項１０に記載のブランケット。
【請求項１２】
前記ブランケットの前記腕部の各々が非膨張部分を囲む膨張可能な管を含むように、前記Ｔ字状の非膨張部分が前記胴部の最下縁まで延びる、請求項８に記載のブランケット。
【請求項１３】
前記ブランケットの前記２つの腕部のうちの１つに２つのフラップが各々さらに設けられ、前記２つのフラップの各々が前記ブランケットに横たわる患者の対応する腕を覆うために移動可能である、請求項８に記載のブランケット。
【請求項１４】
前記Ｔ字状の非膨張部分に少なくとも１つの液体吸収パッドがさらに設けられ、前記Ｔ字状の非膨張部分上に集められる液体が吸収される、請求項８に記載のブランケット。
【請求項１５】
前記ブランケットのすべての角部に丸みが付けられている、請求項８に記載のブランケット。
【請求項１６】
その上に横たわる患者の上体を加温するための対流式下敷ブランケットを作る方法であって、
上部不透気層と下部不透気層を接合して封止された膨張可能な構造を形成する工程であって、前記膨張可能な構造が頭部と、胴部と、２つの腕部とを有し、前記２つの腕部のうちの各腕部が前記胴部の対応する側部から延びる、工程と、
実質的にＴ字状の非膨張部分を形成する工程であって、前記Ｔ字状の非膨張部分が少なくとも前記頭部と前記腕部とに境を接し、患者の上胴部を前記Ｔ字状の非膨張部分に置くことができる、工程と、
患者の胴と接触する前記膨張可能な構造の前記層に複数の孔を形成する工程であって、前記胴部と前記腕部を画定する前記膨張可能な構造のそれぞれの部分に沿って前記孔の形成が行われ、前記膨張可能な構造が、前記胴部と前記腕部が合流する前記Ｔ字状の非膨張部分の２つの下方角部を画定する、工程と、
前記膨張可能な構造の前記２つの下方角部を画定する部分に設けられる孔の数が、前記膨張可能な構造の他の部分に設けられる孔の数より多い工程と、を含む、下敷ブランケットを作る方法。
【請求項１７】
前記腕部の非膨張部分の上下に対応する膨張可能な部分にそれぞれ孔の組を形成する工程をさらに含む、請求項１６に記載の方法。
【請求項１８】
患者の頭を置くことができる実質的に円形の非膨張部分を前記頭部に形成する工程と、
患者の頭を加熱するために前記円形の非膨張部分の少なくとも一部の周りに複数の孔を設ける工程と、をさらに含む、請求項１６に記載の方法。
【請求項１９】
温度処理された空気の前記膨張可能な構造への導入を可能にする入口を前記頭部に設ける工程と、
導入空気の流れを前記Ｔ字状の非膨張部分の周りに沿わせることにより導入空気の流れを前記頭部から前記胴部へと方向付ける工程と、をさらに含む、請求項１６に記載の方法。
【請求項２０】
導入空気の流れを前記ブランケットの膨張可能な前記胴部と前記腕部へ向けるように、複数の封止細片を互いに空間関係で前記頭部に設ける工程をさらに含む、請求項１６に記載の方法。
【請求項２１】
前記ブランケットの前記２つの腕部のうちの１つに２つのフラップの各々を取り付ける工程をさらに含み、前記フラップの各々が前記ブランケットに横たわる患者の対応する腕を覆うために移動可能である、請求項１６に記載の方法。
【請求項２２】
前記ブランケットのすべての角部に丸みを付ける工程をさらに含む、請求項１６に記載の方法。
【発明の詳細な説明】
【技術分野】
【０００１】
本発明は、対流式加温ブランケットに関し、特に患者の上胴部または上体を温めるための下敷ブランケットに関する。
【背景技術】
【０００２】
現在、患者の腕と上体を温めるのに使用する上体用ブランケットが存在する。このようなブランケットは、特許文献１〜４に開示されている。これらの各米国特許に開示されたブランケットは、患者の上に掛けられるものであり、患者の頭のための凹部を有する。使用時に、患者の頭がブランケットに覆われることはない。患者の頭の脇において、ブランケットに入口ポートが設けられている。上記の各米国特許の開示内容から確認する限り、ブランケットは患者の上に掛けられ、そして加熱された空気が主としてブランケットにより覆われた患者の上体へと導かれる。この時、患者の頭は、外部に晒されている。
【０００３】
下敷ブランケットが、特許文献５〜６に開示されている。これらの米国特許に開示されたブランケットは、小児用のもので、小児患者の下に敷かれるのであり、したがって患者の体の全域が外部に晒される。ブランケットに、患者の頭が置かれる頭部が設けられている。ブランケットから加熱された空気を出すための孔がすべてブランケットの主胴部に位置しているので、患者の頭に何ら熱は加えられない。
【先行技術文献】
【特許文献】
【０００４】
【特許文献１】米国特許第５３６０４３９号明細書
【特許文献２】米国特許第５３８４９２４号明細書
【特許文献３】米国特許第５５１４１６９号明細書
【特許文献４】米国特許第５８３９１３３号明細書
【特許文献５】米国特許第６１０２９３６号明細書
【特許文献６】米国特許第６５１１５０１号明細書
【発明の概要】
【０００５】
本発明のブランケットは、患者の上体または上胴部用の対流式保温下敷ブランケットである。ブランケットは十字形状をしている。十字形状は、上方垂直部分と切り詰められた下方垂直部分とを備える。上方垂直部分がブランケットの頭部を成し、ここに患者の頭が置かれる。ブランケットは胴部を有し、胴部から２つの腕部が水平に延びる。腕部に患者の腕が置かれる。各腕部に透明なフラップがある。患者の腕を覆うためにフラップを動かしてもよい。Ｔ字状の非膨張部分が、ブランケットの胴部と腕部に設けられる。患者の上胴部と腕をＴ字状の非膨張部分に置いてもよい。円形の非膨張部分がブランケット頭部にある。ブランケット頭部は、患者の頭を置いてもよい場所である。
【０００６】
ブランケットに加熱された空気を導入し、ブランケットを膨らますために、ブランケット頭部の上方角部に入口ポートが設けられる。加熱された空気を患者の頭に向けて出すための平行な複数の空気孔列が、ブランケット頭部に設けられ、ブランケット頭部の非膨張部分の主要部を囲む。ブランケットは、膨らませることができる部分、すなわち膨張可能部分を有する。膨張可能部分は、Ｔ字状の非膨張部分を囲む。腕部末端を除く膨張可能部分の縁部とブランケット頭部に、加熱された空気を患者に向けて出すための空気孔が設けられる。こうして、患者の腕の上方と下方において、ブランケットの膨張可能部分に空気孔が設けられる。さらに、ブランケットの腕部と胴部下方部分との合流点にも、加熱された空気を患者に向けて出すための空気孔が設けられる。複数の封止細片がブランケット頭部に形成される。封止細片は、入口ポートから導入された加熱された空気をブランケット頭部、腕部、および胴部に沿って導くと共に、ブランケット腕部と胴部の周りへと導くよう働く。
【０００７】
フラップはブランケット腕部に取り付けられ、患者の腕を保温するよう働く。フラップは可撓である。フラップは不透明でもよい。ブランケットのＴ字状の非膨張部分に、流体吸収パッドをオプションとして設けてもよい。流体吸収パッドは、ブランケット上に集められる液体を吸収するよう働く。ブランケットに沿った空気の流れを良くするために、内側と外側のブランケットのすべての角部に丸みが付けられる。
【０００８】
それ故、本発明は、患者の上体や上胴部を支持する下敷ブランケットに関する。下敷ブランケットは、膨らませることができる、すなわち膨張可能な構造を備える。膨張可能な構造は、頭部と、胴部と、２つの腕部を有する。頭部は胴部に接続され、腕部は胴部の側部から延びる。胴部は非膨張部分を有する。患者の上胴部と腕を支えるために、非膨張部分は腕部の中へと延びる。頭部は、患者の頭を支える非膨張部分を有する。頭部の非膨張部分ならびに胴部の非膨張部分と境を接する膨張可能な構造の複数の一部分に沿って、孔の組が設けられる。
【０００９】
さらに本発明は、患者の上体を支持する下記の下敷ブランケットに関する。下敷ブランケットは、膨張可能な構造を備える。膨張可能な構造は、頭部と、胴部と、２つの腕部を有する。頭部は患者の頭を支えるよう構成され、胴部は患者の上胴部を支えるよう構成される。腕部は患者の腕を支えるよう構成される。腕部は胴部の側部から延びる。下敷ブランケットは、さらに実質的にＴ字状の非膨張部分を備える。Ｔ字状の非膨張部分は胴部に位置し、また頭部と境を接する。Ｔ字状の非膨張部分は、腕部の中へと延びる。Ｔ字状の非膨張部分に、患者の上胴部と腕を置くことができる。膨張可能な構造の複数の一部分に沿って、孔の組が設けられる。胴部と腕部がＴ字状の非膨張部分の下方角部において合流し、膨張可能な構造がこの下方角部を画定する。膨張可能な構造の下方角部を画定する一部分に設けられる孔の数が、膨張可能な構造の他の一部分に設けられる孔の数より多い。
【００１０】
また本発明は、患者の上体を加温するための対流式下敷ブランケットを作る方法に関する。この方法は、上部不透気層と下部不透気層を接合して封止された膨張可能な構造を形成する工程と、実質的にＴ字状の非膨張部分を形成する工程と、上部不透気層に複数の孔を形成する工程とを含む。膨張可能な構造は、頭部と、胴部と、２つの腕部を有する。腕部は胴部の側部から延びる。Ｔ字状の非膨張部分は、頭部と腕部に境を接する。Ｔ字状の非膨張部分に患者の上胴部を置くことができる。胴部と腕部を画定する膨張可能な構造の複数の一部分に沿って、孔の形成が行われる。胴部と腕部がＴ字状の非膨張部分の下方角部において合流し、膨張可能な構造がこの下方角部を画定する。膨張可能な構造の下方角部を画定する一部分に設けられる孔の数が、膨張可能な構造の他の一部分に設けられる孔の数より多い。
【００１１】
下記図面と連係した本発明の以下の説明により、本発明が明らかとなり、また本発明が最も良く理解される。
【図面の簡単な説明】
【００１２】
【図１】本発明の上体用下敷ブランケットの平面図である。
【図２】図１における２−２線に沿ったブランケットの断面図である。
【図３】本発明のブランケットの図であり、患者の体が仮想線でブランケットに重ね合わされて描かれている。
【発明を実施するための形態】
【００１３】
図１及び図２を参照するに、本発明の対流式加温ブランケット４は、膨らませることが可能、すなわち膨張可能な構造である。この構造は、上部不透気層６と下部不透気層８からなる。ブランケット使用時に、上部不透気層６は患者に接触する。ブランケット４の異なる複数の部分において、例えば、封止された外側縁部１０と封止された内側縁部１２において、上部不透気層６と下部不透気層８は従来の封止処理により互いに接合される。図示されるように、ブランケット４は全体として十字形状である。図１において、この十字形状は、その下方垂直部分が切り詰められている。
【００１４】
図１に最も良く示されるように、ブランケット４は、頭部１４、胴部１６、および腕部１８ａと１８ｂを含む。腕部１８ａと１８ｂのそれぞれは、胴部１６の対応する側部から延びる。ブランケット４の膨らませることが可能な部分、すなわち膨張可能部分は、外側封止縁部１０と内側封止縁部１２により挟まれた領域あるいは部分であってもよい。したがって、ブランケット４は、その胴部１６に非膨張Ｔ形状部分２０を有する。非膨張Ｔ形状部分２０は、腕部１８ａと１８ｂおよび下方封止縁部２４により、その境界が定められる。腕部１８ａと１８ｂは、管形状へと膨らませることが可能である。非膨張部分２０は、非膨張腕部１８ａ′と１８ｂ′を含む。非膨張腕部１８ａ′は、膨張可能な管状腕部１８ａの３つの側部により囲まれる。非膨張腕部１８ｂ′は、膨張可能な管状腕部１８ｂの３つの側部により囲まれる。
【００１５】
図１に示されるように、非膨張腕部１８ａ′と１８ｂ′は、胴部１６の非膨張部分２０の延長部分である。腕部と胴部の非膨張部分が出会う合流点において、２つの内側角部２２ａと２２ｂがブランケット４の膨張可能な部分により形成または画定される。図１において、ブランケット４の膨らませることが可能な部分、すなわち膨張可能な部分は、ブランケット４の最下方縁部２４まで延びる。ブランケット４の最下方縁部２４を、非膨張部分２０の最下方縁部と称してもよい。腕部１８ａと１８ｂの膨張可能なこれら下方延長部を、膨張可能な部分の脚部と称してもよい。最下方縁部２４において、外側封止縁部１０と内側封止縁部１２が結合してブランケット胴部の下方境界を形成する。ブランケット４の異なる複数の部分に沿った空気の流れを良くするために、ブランケット４の外側と内側のすべての角部に丸みが付けられている。例えば、角部２２ａと２２ｂを参照されたい。
【００１６】
２つの可撓フラップ２４ａと２４ｂが、腕部１８ａと１８ｂの上方縁部１８ａ１と１８ａ２にそれぞれ接続される。可撓フラップ２４ａと２４ｂは、透明あるいは不透明なＰＶＣ、または他の可撓材から作られていてもよく、ブランケット４の上に横たわる患者の両腕を覆うために、上方縁部１８ａ１と１８ａ２から離れた位置と図１に示す位置との間で移動可能である。
【００１７】
ブランケット４は、その頭部１４に円形の非膨張部分２６を有する。この円形非膨張部分２６に患者の頭を置くことができる。２本の空気出口用孔列２８ａと２８ｂがブランケット頭部１４に設けられていて、これら孔列は円形非膨張部分２６の主部を囲む。さらに複数の空気出口用孔列２９ａ、２９ｂ、３０ａ、および３０ｂがブランケット頭部１４に設けられていて、これら孔列は図１におけるＹ方向に沿って縦に延びる。
【００１８】
末端３２ａと３２ｂを除く腕部１８ａと１８ｂおよび胴部１６において、内側封止縁部１２近傍の膨張可能な上部不透気層６の異なる複数の部位に沿って、複数の空気出口用孔列が設けられる。例えば、図示されるように、非膨張Ｔ形状部分２０を画定する内側封止縁部１２の近傍の膨張可能な部分に、空気出口用孔列３４ａと３４ｂが設けられる。孔列３４ａと３４ｂにおける孔間の間隔は、ブランケット４の中心に近づくほど広がるが、腕部１８ａと１８ｂにおいては一定である。
【００１９】
内側封止縁部１２近傍の膨張可能な部分において、膨張可能な腕部１８ａと１８ｂの下方部分を画定する部位に別の空気出口用孔列３６ａと３６ｂが設けられる。これら孔列３６ａと３６ｂにおける孔は、等間隔に配置される。非膨張部分２０の内側角部２２ａと２２ｂを画定する膨張可能な構造の角部に、より多くの空気出口用孔が形成される。これらの孔の組は、図１において参照符号３８ａと３８ｂにより示される。別の空気出口用孔の２組も設けられ、これら組のそれぞれは２本の孔列４０ａまたは４０ｂを含み、またこれら２組は、膨張可能な部分の下方脚部に沿って、実質的に内側角部２２ａと２２ｂからブランケット４の最下方縁部２４まで延びる。このように構成されているので、ブランケット４の全体に渡って空気の流れが促進され、胴部１６に近接する膨張可能な部分の下方脚部においても、流れる空気について比較的一定の温度勾配が維持される。
【００２０】
ブランケット４は、空気用入口ポート４２を備える。例えば入口ポート４２に結合した空気ホース４４を介して、加熱された空気などの熱処理された空気が入口ポート４２からブランケット４内に導入される。ブランケット４を膨らますことを目的として加熱された空気をブランケット４内に導入するために、空気ホース４４の他方の端が加熱空気ブロワ４５、例えば本発明の譲受人が販売するエクエイター（ＥＱＵＡＴＯＲ）ユニットに接続される。ブランケット４内に導入された加熱空気は、ブランケット４内を流れ、そして前述の空気出口用孔や空気出口用孔列からブランケット４の外部に排出される。排出された加熱空気は、ブランケット４上の患者に当たり、患者を温める。
【００２１】
空気の流れを良くすると共に、入口ポート４２から頭部１４を経て、さらに矢印４４ａと４４ｂで示される経路を経てブランケット４の残りの部分へと空気流をより効果的に方向付けるために、複数の封止細片、例えば封止細片４６ａ−４６ｇがブランケット４の頭部１４に設けられる。入口ポート４２から入った空気の流れが経路４４ａと４４ｂに従って腕部１８ａと１８ｂに達し、さらにそこから胴部１６の非膨張部分２０の下部を画定する、膨張可能な部分の下方脚部に達する如く方向付けされるように、封止細片４６ａ−４６ｇの配置と空間的関係とが定められる。孔の組３８ａと３８ｂの如く内側角部２２ａと２２ｂには他の部分に比べてより多くの孔が存在し、また胴部１６の下方部分に２重の孔列４０ａと４０ｂが存在するので、入口ポート４２から最も遠いブランケット４のこれらの部分からより多くの空気が排出される。このように入口ポート４２から遠いブランケット４の部分からより多量の空気が排出されるので、ブランケット４に横たわる患者の上胴部や上半身における異なる複数の部分が実質的に均一に加温される。
【００２２】
腕部１８ａと１８ｂの末端３２ａと３２ｂには、空気出口用孔を設けない。患者の腕先端部や手が末端３２ａと３２ｂに置かれるわけであるが、患者のこれら肢部分には点滴線または他の管や機器を接続しなければならないことがあり、したがって患者のこれら肢部分を加熱しないようにすることを、空気出口用孔を設けない上記構成が保証する。点滴線、他の管や機器、ならびに点滴線内の流体が熱に影響されるであろうことに留意されたい。このように、ブランケット４の手部分は、ブランケット４から排出される加熱された空気がそこに存在しないように構成される。
【００２３】
ブランケット４内の空気流を方向付ける封止細片４６ａ−４６ｇについて、さらに説明する。封止細片４６ｇと４６ｆは、導入空気を腕部１８ｂへと向かわせる。図１において、封止細片４６ｄはＸ方向に延び、空気流を頭部１４の入口ポート４２から離れた部分へと向かわせる。したがって、加熱された空気が、頭部１４の封止細片４６ａ−４６ｃを含む部分へと導かれ、そして封止細片４６ａ−４６ｃが加熱された空気を経路４４ａに沿って腕部１８ａへ向かわせる。また加熱された空気は、頭部１４における非膨張部分２６の周りを回る。したがって、加熱された空気は孔列２８ａと２８ｂから外部に出て、患者の頭を温める。
【００２４】
図１及び図２に示されるように、流体吸収パッド４８ａ−４８ｄをオプションとして設けてもよい。これら流体吸収パッド４８ａ−４８ｄを非膨張Ｔ形状部分２０の異なる複数の部分に取り付けて、そこに集められる患者や医療者からの流体を吸収するようにしてもよい。
【００２５】
図３は、本発明のブランケットと、このブランケット上に位置する例としての患者５０を示す。なお、図３において患者５０は仮想線で描かれている。図３に示されるように、患者５０の頭は非膨張部分２６に載せられ、また患者５０の上胴部は実質的に非膨張部分２０の上に置かれる。患者５０の腕は、非膨張腕部１８ａ′と１８ｂ′に沿って延びるとともに、そこに載せられる。前述のように、非膨張部分２０を画定する内側封止縁部１２に沿って、上部不透気層６に孔列３４ａと３４ｂ、孔列３６ａと３６ｂ、孔の組３８ａと３８ｂ、および孔列４０ａと４０ｂが設けられる。したがって、患者５０の上胴部と腕は、孔列３４ａと３４ｂ、孔列３６ａと３６ｂ、孔の組３８ａと３８ｂ、および孔列４０ａと４０ｂから出る加熱された空気により温められる。このように患者５０がブランケットに載せられている時には、医療者は患者の頭と上胴部に触ることができる。患者５０の腕を保温する際には、フラップ２４ａと２４ｂを動かして患者５０の腕を覆うようにする。
【００２６】
本発明には多くの変形例、部分的変更例、および細部にわたっての変更例が存在するのであり、本明細書で述べられた全ての事項および添付図に示された全ての事項は、説明のためだけのものであり、本発明の範囲を限定するものではない。本発明の範囲は、添付請求項の主旨と範囲によってのみ限定され得る。
【図１】
2012501721.tif 000003
【図２】
2012501721.tif 000004
【図３】
2012501721.tif 000005
【国際調査報告】
2012501721.tif 000006
2012501721.tif 000007